(57)【要約】【課題】無線通信システムにおいて送受信されるデータの信頼性を向上させる。【解決手段】コントロールＭＡＣ部の送信側では、送信用データが、ロングトレーニング信号生成部３０１において生成されたロングトレーニング信号と、データ合成部３０２において合成される。無線通信システムにおいて、データは、マルチキャリア変調方式で変調され、送受信される。なお、各サブキャリアのフレームには、ロングトレーニング信号が複数回付加される。直列並列変換部３０３は、データ合成部３０２において合成されたデータを１２に分割し、それらを３回繰返して、サブキャリア変調部３００１〜３０３６のそれぞれに出力する。【選択図】図２
2009044389.tif 000002
【特許請求の範囲】
【請求項１】
送信するべきデータである送信用データを送信する送信端末と、前記送信端末が送信したデータを受信する受信端末とを備えた無線通信システムであって、
前記送信端末は、
送信用データを分割して出力する出力手段と、
前記出力手段が出力したデータを複数のサブキャリアに変調する変調手段と、
前記変調手段により変調されたデータをマルチキャリア信号の時間波形に変換する変換手段とを含み、
前記変調手段は、各サブキャリアに複数回ロングトレーニング信号を付加する、無線通信システム。
【請求項２】
前記変調手段は、各サブキャリアの所定シンボルごとに、ロングトレーニング信号を付加する、請求項１に記載の無線通信システム。
【請求項３】
前記出力手段は、送信用データを分割し、それらを所定の回数コピーしたものの数が、前記複数のサブキャリアに対応する数になるように、前記送信用データを分割しかつ分割したものを前記所定の回数コピーして前記変調手段に出力する、請求項１または請求項２に記載の無線通信システム。
【請求項４】
前記変換手段は、前記変調手段により変調されたデータに、パイロット信号を合成して、前記マルチキャリア信号を生成し、
前記出力手段は、分割後の前記送信用データを前記所定の回数コピーしたものの数が、前記複数のサブキャリアの数から前記変換手段が１の前記マルチキャリア信号に合成するパイロット信号の数を差し引いた数となるように、前記送信用データを分割する、請求項３に記載の無線通信システム。
【請求項５】
前記所定の回数は、３である、請求項３に記載の無線通信システム。
【請求項６】
前記変換手段は、１の前記マルチキャリア信号に１６のパイロット信号を合成する、請求項４または請求項５に記載の無線通信システム。
【請求項７】
前記送信端末は、前記変換手段によって変換されたマルチキャリア信号の所定時間ごとに前記所定時間の半分の時間分のガードインターバルを付加する付加手段をさらに含む、請求項１〜請求項６のいずれかに記載の無線通信システム。
【請求項８】
前記所定時間は、３．２μ秒である、請求項７に記載の無線通信システム。
【請求項９】
前記受信端末は、
受信したデータをサブキャリアごとに分離する分離手段と、
前記分離手段によって分離されたサブキャリアごとのデータを復調する復調手段と、
前記復調手段によって復調されたサブキャリアごとのデータの、前記出力手段によるコピーにおける同じコピー元のデータごとに平均値を算出する平均値算出手段手段と、
前記平均値算出手段によって算出された、前記出力手段によるコピーにおける同じコピー元のデータについての平均値を統合する統合手段とを含む、請求項３に記載の無線通信システム。
【請求項１０】
前記受信端末は、前記統合手段で統合されたデータを、ビタビ参照データ数を４０シンボルとして誤り訂正を行なう誤り訂正手段をさらに含む、請求項９に記載の無線通信システム。
【請求項１１】
送信するべきデータである送信用データを送信する送信端末であって、
送信用データを分割して出力する出力手段と、
前記出力手段が出力したデータを複数のサブキャリアに変調する変調手段と、
前記変調手段により変調されたデータをマルチキャリア信号の時間波形に変換する変換手段とを備え、
前記変調手段は、各サブキャリアに複数回ロングトレーニング信号を付加する、送信端末。
【請求項１２】
前記変調手段は、各サブキャリアの所定シンボルごとに、ロングトレーニング信号を付加する、請求項１１に記載の送信端末。
【請求項１３】
前記出力手段は、送信用データを分割し、それらを所定の回数コピーしたものの数が、前記複数のキャリアに対応する数になるように、前記送信用データを分割しかつ分割したものを前記所定の回数コピーして前記変調手段に出力する、請求項１１または請求項１２に記載の送信端末。
【請求項１４】
前記変換手段は、前記変調手段により変調されたデータに、パイロット信号を合成して、前記マルチキャリア信号を生成し、
前記出力手段は、分割後の前記送信用データを前記所定の回数コピーしたものの数が、前記複数のサブキャリアの数から前記変換手段が１の前記マルチキャリア信号に合成するパイロット信号の数を差し引いた数となるように、前記送信用データを分割する、請求項１３に記載の送信端末。
【請求項１５】
前記所定の回数は、３である、請求項１４に記載の送信端末。
【請求項１６】
前記変換手段は、１の前記マルチキャリア信号に１６のパイロット信号を合成する、請求項１４または請求項１５に記載の送信端末。
【請求項１７】
前記変換手段によって変換されたマルチキャリア信号の所定時間ごとに前記所定時間の半分の時間分のガードインターバルを付加する付加手段をさらに備える、請求項１３〜請求項１６のいずれかに記載の送信端末。
【請求項１８】
前記所定時間は、３．２μ秒である、請求項１７に記載の送信端末。
【発明の詳細な説明】
【技術分野】
【０００１】
本発明は、無線通信システムおよび送信端末に関し、特に、マルチキャリア信号の送受信が行なわれる無線通信システムおよび送信端末に関する。
【背景技術】
【０００２】
従来から、無線通信システムにおいて、送受信されるデータの信頼性について種々検討がなされてきた。
【０００３】
たとえば、特許文献１（特開２００４−８８２６８号公報）には、受信データの誤り率を向上させるために、ＯＦＤＭ（Orthogonal Frequency Division Multiplexing）−ＣＤＭＡ（Code Division Multiple Access）通信方式において、受信側で伝送誤りが検出された場合に送信側から再度送信する信号（再送信号）について、再送回数が増えるにつれて再送信号に割り当てる拡散符号の数を増加させる技術が開示されている。
【特許文献１】特開２００４−８８２６８号公報
【発明の開示】
【発明が解決しようとする課題】
【０００４】
なお、携帯電話を含め、種々の携帯通信機器の普及が進む現代では、無線通信システムにおいて送受信されるデータの信頼性を向上させることは、常に要求されることである。
【０００５】
本発明は係る実情に鑑み考え出されたものであり、その目的は、無線通信システムにおいて送受信されるデータの信頼性を向上させることである。
【課題を解決するための手段】
【０００６】
本発明に従った無線通信システムは、送信するべきデータである送信用データを送信する送信端末と、前記送信端末が送信したデータを受信する受信端末とを備えた無線通信システムであって、前記送信端末は、送信用データを分割して出力する出力手段と、前記出力手段が出力したデータを複数のサブキャリアに変調する変調手段と、前記変調手段により変調されたデータをマルチキャリア信号の時間波形に変換する変換手段とを含み、前記変調手段は、各サブキャリアに複数回ロングトレーニング信号を付加することを特徴とする。
【０００７】
また、本発明の無線通信システムでは、前記変調手段は、各サブキャリアの所定シンボルごとに、ロングトレーニング信号を付加することが好ましい。
【０００８】
また、本発明の無線通信システムでは、前記出力手段は、送信用データを分割し、それらを所定の回数コピーしたものの数が、前記複数のサブキャリアに対応する数になるように、前記送信用データを分割しかつ分割したものを前記所定の回数コピーして前記変調手段に出力することが好ましい。
【０００９】
また、本発明の無線通信システムでは、前記変換手段は、前記変調手段により変調されたデータに、パイロット信号を合成して、前記マルチキャリア信号を生成し、前記出力手段は、分割後の前記送信用データを前記所定の回数コピーしたものの数が、前記複数のサブキャリアの数から前記変換手段が１の前記マルチキャリア信号に合成するパイロット信号の数を差し引いた数となるように、前記送信用データを分割することが好ましい。
【００１０】
また、本発明の無線通信システムでは、前記所定の回数は、３であることが好ましい。
また、本発明の無線通信システムでは、前記変換手段は、１の前記マルチキャリア信号に１６のパイロット信号を合成することが好ましい。
【００１１】
また、本発明の無線通信システムでは、前記送信端末は、前記変換手段によって変換されたマルチキャリア信号の所定時間ごとに前記所定時間の半分の時間分のガードインターバルを付加する付加手段をさらに含むことが好ましい。
【００１２】
また、本発明の無線通信システムでは、前記所定時間は、３．２μ秒であることが好ましい。
【００１３】
また、また、本発明の無線通信システムでは、前記受信端末は、受信したデータをサブキャリアごとに分離する分離手段と、前記分離手段によって分離されたサブキャリアごとのデータを復調する復調手段と、前記復調手段によって復調されたサブキャリアごとのデータの、前記出力手段によるコピーにおける同じコピー元のデータごとに平均値を算出する平均値算出手段手段と、前記平均値算出手段によって算出された、前記出力手段によるコピーにおける同じコピー元のデータについての平均値を統合する統合手段とを含むことが好ましい。
【００１４】
また、本発明の無線通信システムでは、前記受信端末は、前記統合手段で統合されたデータを、ビタビ参照データ数を４０シンボルとして誤り訂正を行なう誤り訂正手段をさらに含むことが好ましい。
【００１５】
本発明に従った送信端末は、送信するべきデータである送信用データを送信する送信端末であって、送信用データを分割して出力する出力手段と、前記出力手段が出力したデータを複数のサブキャリアに変調する変調手段と、前記変調手段により変調されたデータをマルチキャリア信号の時間波形に変換する変換手段とを備え、前記変調手段は、各サブキャリアに複数回ロングトレーニング信号を付加することを特徴とする。
【００１６】
また、本発明の送信端末では、前記変調手段は、各サブキャリアの所定シンボルごとに、ロングトレーニング信号を付加することが好ましい。
【００１７】
また、本発明の送信端末では、前記出力手段は、送信用データを分割し、それらを所定の回数コピーしたものの数が、前記複数のキャリアに対応する数になるように、前記送信用データを分割しかつ分割したものを前記所定の回数コピーして前記変調手段に出力することが好ましい。
【００１８】
また、本発明の送信端末では、前記変換手段は、前記変調手段により変調されたデータに、パイロット信号を合成して、前記マルチキャリア信号を生成し、前記出力手段は、分割後の前記送信用データを前記所定の回数コピーしたものの数が、前記複数のサブキャリアの数から前記変換手段が１の前記マルチキャリア信号に合成するパイロット信号の数を差し引いた数となるように、前記送信用データを分割することが好ましい。
【００１９】
また、本発明の送信端末では、前記所定の回数は、３であることが好ましい。
また、本発明の送信端末では、前記変換手段は、１の前記マルチキャリア信号に１６のパイロット信号を合成することが好ましい。
【００２０】
また、本発明の送信端末は、前記変換手段によって変換されたマルチキャリア信号の所定時間ごとに前記所定時間の半分の時間分のガードインターバルを付加する付加手段をさらに備えることが好ましい。
【００２１】
また、本発明の送信端末では、前記所定時間は、３．２μ秒であることが好ましい。
【発明の効果】
【００２２】
本発明によれば、送信端末においてデータが複数のサブキャリアに変調される際に、各サブキャリアに、複数回ロングトレーニング信号を付加される。
【００２３】
これにより、データ送信中の周波数位相誤差を、受信端末においてより確実に調整できる。
【００２４】
したがって、本発明によれば、無線通信システムにおいて、送受信されるデータの信頼性を向上させることができる。
【発明を実施するための最良の形態】
【００２５】
以下、本発明の無線通信ネットワークの一実施の形態について、図面を参照して説明する。
【００２６】
本実施の形態の無線通信ネットワークは、ＯＦＤＭ方式で通信を行なうものである。
図１は、無線通信ネットワークで情報の送受信を行なう端末のハードウェア構成を模式的に示す図である。図１を参照して、端末１は、主に、アプリケーションの実行等を行なうホストシステム１００と、アプリケーションで利用されるデータ等の送受信を行なう通信回路２００とを含む。
【００２７】
ホストシステム１００は、当該ホストシステム１００の動作を全体的に制御するＣＰＵ（Central Processing Unit）を含む。
【００２８】
ホストシステム１００で実行される各アプリケーションのプログラムは、ＨＤ（ハードディスク）１０２に格納されている。また、ホストシステム１００は、ＣＰＵ１０１のワークエリアとなるＲＡＭ（Random Access Memory）１０３、情報を表示するディスプレイ１０４、音声を出力するスピーカ１０５、キーやボタンなどの外部からの情報の入力に用いられる入力部１０６、および、通信回路２００との間で情報（データ）のやり取りを行なうインターフェイス１０７を含む。
【００２９】
通信回路２００は、ベースバンド／ＭＡＣ（Media Access Control）回路２５０、ＲＦ（Radio Frequency）回路２０５、バラン２０４、アンテナ２０３、ＥＥＰＲＯＭ（Electronically Erasable and Programmable Read Only Memory）２０６，２０７、電源回路２０１、および、クロック回路２０２を含む。
【００３０】
クロック回路２０２は、ベースバンド／ＭＡＣ回路２５０とＲＦ回路２０５にクロック信号を供給する。電源回路２０１は、ベースバンド／ＭＡＣ回路２５０とＲＦ回路２０５に対する電力の供給を制御する。
【００３１】
ＲＦ回路２０５は、アンテナ２０３を介してデータの送受信を行なう。アンテナ２０３とＲＦ回路２０５との間には、バラン２０４が設けられている。
【００３２】
ベースバンド／ＭＡＣ回路２５０は、ＣＰＵ２５１、インターフェイス２５２、外部バスコントローラ２５３、プログラムメモリ２５４、共有メモリ２５５、タイマ２５６、コントロールＭＡＣ部３００、ＡＤＣ（analog-digital converter）２５８、および、ＤＡＣ（digital-analog converter）２５９を含む。
【００３３】
インターフェイス２５２は、ホストシステム１００に対するインターフェイスである。ＣＰＵ２５１は、ホストシステム１００から、データをネットワークに対して送信する指示を受けると、インターフェイス２５２に、ホストシステム１００内のメモリ（たとえば、ＲＡＭ１０３）に格納された当該データを取出させる。なお、ホストシステム１００は、送信を指示するデータを生成し、当該データを上記メモリに格納した後、当該データの送信指示を通信回路２００へ送信する。また、インターフェイス２５２によって取出されたデータは、ネットワークに対して送信するフレームの「ユーザ・データ・ボディ」を構成するデータとして、プログラムメモリ２５４に一時的に格納される。
【００３４】
そして、ＣＰＵ２５１は、プログラムメモリ２５４に格納されたデータに対してＭＡＣヘッダとＦＣＳ（Frame Check Sequence）を含む種々のデータを付加することにより、ネットワークに対して送信するフレームを生成し、プログラムメモリ２５４に格納するとともに、共有メモリ２５５において当該フレームを生成した旨のフラグを立てる。
【００３５】
通信回路２００における、ネットワークを介して送信されてきたデータが受信される際の動作について説明する。アンテナ２０３およびバラン２０４を介してＲＦ回路２０５に送られてきたフレームは、ＡＤＣ２５８においてデジタルデータに変換された後、コントロールＭＡＣ部３００に送られる。コントロールＭＡＣ部３００は、デジタル信号に変換されたフレームに対して、フレーム先頭検出、時間および周波数の同期処理を行なった後、誤り訂正復号を行なう。そして、コントロールＭＡＣ部３００は、さらに、当該フレームの送信アドレス（ＤＡ）がＥＥＰＲＯＭ２０６に格納される当該通信回路２００のＭＡＣアドレスと一致するか否かを判断し、一致すると判断すると、フレームからＭＡＣヘッダとＦＣＳを取除いた後、プログラムメモリ２５４に、残ったデータ（フレーム・ボディ）を転送する。なお、一致しないと判断すると、コントロールＭＡＣ部３００は、受信したフレームを破棄する。
【００３６】
また、コントロールＭＡＣ部３００は、受信したフレーム・ボディをプログラムメモリ２５４に格納したときに、共有メモリ２５５において、その旨を示すフラグをセットする。ＣＰＵ２５１は、当該フラグがセットされたことに応じて、プログラムメモリ２５４に格納されたフレーム・ボディ部３２０を、インターフェイス２５２を介して、ホストシステム１００へ送る。
【００３７】
図２に、コントロールＭＡＣ部３００の詳細な構成を模式的に示す。なお、図２では、図２（Ａ）に、コントロールＭＡＣ部３００の中の、通信回路２００がデータを送信する際に利用される部分が示され、また、図２（Ｂ）に、コントロールＭＡＣ部３００の中の、通信回路２００がデータを受信する際に利用される部分が示されている。
【００３８】
まず、図２（Ａ）を参照して、コントロールＭＡＣ部３００の送信側には、ロングトレーニング信号生成部（図２（Ａ）では、「ＬＴ生成部」と記載）３０１、データ合成部３０２、直列並列変換部（図２（Ａ）では、「Ｓ／Ｐ」と記載）３０３、パイロット信号生成部３０４、逆フーリエ変換部（図２（Ａ）では、「Ｉフーリエ変換部」と記載）３０５、ガードインターバル付加部（図２（Ａ）では、「ＧＩ付加部」と記載）３０６、並列直列変換部（図２（Ａ）では、「Ｐ／Ｓ」と記載）３０７、およびサブキャリア変調部３００１〜３０３６が設けられている。
【００３９】
コントロールＭＡＣ部３００の送信側では、上記したようにホストシステム１００から取得し、プログラムメモリ２５４に格納されたデータ（図２（Ａ）中の「送信用データ」）が、ロングトレーニング信号生成部３０１において生成されたロングトレーニング信号と、データ合成部３０２において合成される。なお、本実施の形態の無線通信システムでは、データは、マルチキャリア変調方式で変調され、送受信される。そして、端末１のコントロールＭＡＣ部３００では、各サブキャリアのフレームでは、図４に示されるように、ロングトレーニング信号と送信用データとが配列される。
【００４０】
図４を参照して、この図では、ロングトレーニング信号は「ＬＴ」で示され、送信用データは「ＤＡＴＡ」で示されている。そして、フレーム４００には、ヘッダ部４０１とフレーム・ボディ部４０２とＦＣＳ４０３が含まれる。そして、フレーム・ボディ部４０２では、ＬＴ４０２ＡとＤＡＴＡ４０２Ｂとが交互に配列されている。ＬＴ４０２Ａは、３２シンボル分のＤＡＴＡ４０２Ｂごとに付加されている。つまり、各ＤＡＴＡ４０２Ｂは、３２シンボル分のデータである。また、フレーム４００では、ロングトレーニング信号が複数回付加されている。
【００４１】
なお、フレーム・ボディ部４０２に含まれるシグナルフィールドのデータの内容を、表１に示す。
【００４２】
【表１】
2009044389.tif 000003
【００４３】
表１から理解されるように、シグナルフィールドに「ＣＲＣ８」という誤り訂正に対応するデータが含まれることから、本実施の形態では、後述するように、ビタビ復号部３５８において誤り訂正がなされる。
【００４４】
図２に戻って、直列並列変換部３０３は、データ合成部３０２において合成されたデータを１２に分割する。そして、直列並列変換部３０３は、１２に分割したデータを３回繰返して、サブキャリア変調部３００１〜３０３６のそれぞれに出力する。つまり、直列並列変換部３０３は、１２に分割した後の３回分データについて、１２に分割された１回分に相当するデータをサブキャリア変調部３００１〜３０１２のそれぞれに、また、１２に分割された１回分に相当するデータをサブキャリア変調部３０１３〜３０２４のそれぞれに、そして、１２に分割された最後の１回分に相当するデータをサブキャリア変調部３０２５〜３０３６のそれぞれに、出力する。
【００４５】
サブキャリア変調部３００１〜３０３６は、サブキャリアごとの変調を行ない、変調後のデータを、逆フーリエ変換部３０５に出力する。
【００４６】
逆フーリエ変換部３０５では、サブキャリア変調部３００１〜３０３６のそれぞれから出力されたサブキャリア信号の逆フーリエ変換が行なわれる。これにより、サブキャリア変調部３００１〜３０３６から出力されたサブキャリア信号が合成され、マルチキャリア信号が生成される。なお、逆フーリエ変換部３０５は、パイロット信号生成部３０４が生成したパイロット信号を、サブキャリア変調部３００１〜３０３６から出力されたサブキャリア信号と合成させて、マルチキャリア信号を生成する。ここで、生成されるマルチキャリア信号の構成について説明する。
【００４７】
図３は、コントロールＭＡＣ部３００において送信用データがどのように取扱われるかを説明するための図である。なお、図３（Ａ）は、送信側における取扱いを説明する図であり、図３（Ｂ）は、受信側における取扱いを説明する図である。
【００４８】
図３（Ａ）では、５２本の矩形が示されている。なお、これらの中には、数字を上方に付記されたものとハッチングを施されたものが含まれている。数字を付記された矩形は、直列並列変換部３０３において分割された１２のデータのいずれかに対応するものであり、数字は分割された１２のデータの中のどれに対応するかを示している。ハッチングを施された矩形は、パイロット信号生成部３０４が生成したパイロット信号に対応している。本実施の形態で生成されるマルチキャリア信号では、５２のサブキャリアの中の、１６がパイロット信号とされている。本実施の形態では、生成されるマルチキャリア信号において含まれるパイロット信号の数がこのように比較的多い数とされることにより、当該マルチキャリア信号が受信された端末において、長距離通信で生じる位相誤差をより確実に補正することができる。
【００４９】
また、図３（Ａ）に示された５２のサブキャリアの中の、１６のパイロット信号に割当てられたサブキャリア以外のサブキャリア、つまり、３６のサブキャリアでは、直列並列変換部３０３において１２に分割されたデータがそれぞれ３のサブキャリアに割当てられている。これにより、後述するように、受信側では１２に分割されたデータのそれぞれについて３つのサブキャリアでデータを取得できるため、これらの平均値を取るなどして、より信頼度の高いデータを取得することができる。
【００５０】
なお、本実施の形態では、マルチキャリア信号において分割されたデータの繰返しの数（コピーされた数）が３とされているが、本発明の無線通信システムにおけるコピーされる数はこれに限定されるものではない。無線通信システム適用されるそれぞれの状況において、必要とされるデータの通信効率と必要とされるデータの送受信における信頼性との兼ね合いにより、コピーされる数は決定されるべきである。
【００５１】
図２に戻って、逆フーリエ変換部３０５において生成されたマルチキャリア信号は、並列直列変換部３０７に出力される。並列直列変換部３０７では、ガードインターバル付加部３０６によってガードインターバル（冗長信号）が挿入される。ここで、図５を参照して、並列直列変換部３０７においてどのようにガードインターバルが挿入されるかについて説明する。
【００５２】
図５を参照して、逆フーリエ変換部３０５から出力されたマルチキャリア信号にガードインターバルが挿入されることにより、ＯＦＤＭシンボルが生成されるが、当該ＯＦＤＭシンボルでは、１．６μＳのガードインターバルと３．２μＳのマルチキャリア信号のデータとが交互に存在している。ガードインターバルは、データが送信された際の符号間の干渉を回避するための冗長信号である。ガードインターバルが挿入されることにより、送信されたデータをマルチパスフェージングから守ることができる。
【００５３】
そして、本実施の形態では、ＯＦＤＭシンボルにおいて挿入されるガードインターバルのマルチキャリア信号のデータに対する割合が比較的高いことから、本実施の形態の無線通信システムでは、より確実に、送信データをマルチパスフェージングから守ることができる。
【００５４】
なお、図６に、一般的なデータ通信で送受信されるＯＦＤＭシンボルを模式的に示す。図６を参照して、一般的に送受信されるＯＦＤＭシンボルでは、０．８μＳのガードインターバルと３．２のμＳマルチキャリア信号のデータが交互に配置されている。
【００５５】
以上説明したように、本実施の形態では、送信用データが送信される場合、データ合成部３０２においてロングトレーニング信号と合成され、直列並列変換部３０３で１２に分割され、サブキャリア変調部３００１〜３０３６で分割されたデータがコピーされて３回分のデータとしてサブキャリア変調部３００１〜３０３６のおいて変調され、逆フーリエ変換部３０５でパイロット信号を付加され、そして、並列直列変換部３０７でガードインターバル付加部３０６によりガードインターバルを挿入されて、ＯＦＤＭシンボルとされる。このように生成されたＯＦＤＭシンボルは、ＤＡＣ２５９、ＲＦ回路２０５、バラン２０４、およびアンテナ２０３を介して、ネットワークへ送信される。
【００５６】
次に、コントロールＭＡＣ部３００の受信側の構成について説明する。
図２（Ｂ）を参照して、ＡＤＣ２５８（図１参照）でデジタルデータに変換されたデータは、同期処理部３５１に入力される。そして、同期処理部３５１において、上記のフレーム先頭検出や、シンボル・タイミング同期やキャリア周波数同期など周知の同期処理が施された後、並列直列変換部３５３に出力される。直列並列変換部３５３では、同期処理部３５１から入力されたデータに対して、ＧＩ除去部３５２により、ガードインターバルが除去されるとともに、受信データがサブキャリアごとに分割されて、フーリエ変換部（図２（Ｂ）では、「ＦＦＴ」と記載）３５４に出力される。
【００５７】
フーリエ変換部３５４では、受信した５２のサブキャリアから、図３（Ａ）を参照して説明した、１６のパイロット信号以外のサブキャリア（３６のサブキャリア）の信号が、サブキャリア検波部３５０１〜３５３６に出力される。なお、フーリエ変換部３５４に出力された５２のサブキャリアの信号に対して、パイロット信号検出部３５５が、パイロット信号の検出を行なう。そして、パイロット信号検出部３５５は、検出したパイロット信号を、位相補正部３５６に出力する。
【００５８】
位相補正部３５６では、サブキャリア検波部３５０１〜３５３６のそれぞれから出力される３６のサブキャリアの信号に基づいて、（直列並列変換部３０３で分割された）１２のデータの復調が行なわれる。ここでの復調の態様について、図３（Ｂ）を参照して説明する。
【００５９】
図３（Ｂ）を参照して、位相補正部３５６では、直列並列変換部３０３において１２に分割されたそれぞれのデータが、マルチキャリア信号に含まれる５２のサブキャリアの中の３６のサブキャリアに、それぞれ３回ずつ含まれている。位相補正部３５６では、これらの１２のデータのそれぞれについて３つのサブキャリアのデータの平均値を取り（算出し）、当該平均値に基づいて復調を行なう。パイロット信号検出部３５５から入力されたパイロット信号は、この場合の位相補正に用いられる。
【００６０】
なお、位相補正部３５６における上記したような平均値の算出およびデータの復調は、制御部３５６Ａによって制御される。
【００６１】
位相補正部３５６において復調された１２のデータは、並列直列変換部３５７へと出力され、ここで、合成される。
【００６２】
並列直列変換部３５７で合成されたデータは、ビタビ復号部３５８へ送られ、ここで、ビタビ復号法により誤り訂正がなされた後、外部バスコントローラ２５３を介して共有メモリ２５５へ出力される。
【００６３】
なお、本実施の形態では、上記したように、同じデータを重複して（３回ずつ）サブキャリア変調させていたり、パイロット信号を比較的多く含まれるようにされたり、挿入されるガードインターバルの割合が比較的大きくされたり、付加されるロングトレーニング信号の数を比較的大きくされたりするため、ビタビ復号部３５８における誤り訂正の際に参照される過去のデータ数を、たとえば「４０」等のように、一般的に参照されるデータ数（たとえば「７０」）よりも低いものとすることができる。
【００６４】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６５】
【図１】本発明の一実施の形態である無線通信ネットワークでデータ通信を行なう端末のハードウェア構成を模式的に示す図である。
【図２】図１のコントロールＭＡＣ部の構成を模式的に示す図である。
【図３】本発明の一実施の形態である無線通信ネットワークにおいてマルチキャリア信号がどのように取扱われるかを説明するための図である。
【図４】図２のロングトレーニング信号生成部において生成されたロングトレーニング信号が送信用データにどのように付加されるかを説明するための図である。
【図５】図２のガードインターバル付加部によってマルチキャリア信号に対してどのようにガードインターバルが挿入されるかを説明するための図である。
【図６】一般の無線通信ネットワークにおいて、マルチキャリア信号に対してガードインターバルが挿入される態様を説明するための図である。
【符号の説明】
【００６６】
１  端末、１００  ホストシステム、１０１，２５１  ＣＰＵ、１０２  ＨＤ、１０３  ＲＡＭ、１０４  ディスプレイ、１０５  スピーカ、１０６  入力部、１０７，２５２  インターフェイス、２００  通信回路、２０１  電源回路、２０２  クロック回路、２０３  アンテナ、２０４  バラン、２０５  ＲＦ回路、２０６，２０７  ＥＥＰＲＯＭ、２５０  ベースバンド／ＭＡＣ回路、２５３  外部バスコントローラ、２５４  プログラムメモリ、２５５  共有メモリ、２５６  タイマ、２５８  ＡＤＣ、２５９  ＤＡＣ、３００  コントロールＭＡＣ部、３０１  ロングトレーニング信号生成部、３０２  データ合成部、３０３，３５２  直列並列変換部、３０４  パイロット信号生成部、３０５  逆フーリエ変換部、３０６  ガードインターバル付加部、３０７，３５７  並列直列変換部、３５１  同期処理部、３５２  ＧＩ除去部、３５４  フーリエ変換部、３５５  パイロット信号検出部、３５６  位相補正部、３５６Ａ  制御部、３５８  ビタビ復号部。
【図１】
2009044389.tif 000004
【図２】
2009044389.tif 000005
【図３】
2009044389.tif 000006
【図４】
2009044389.tif 000007
【図５】
2009044389.tif 000008
【図６】
2009044389.tif 000009